(57)【要約】【課題】ＣＤＭＡ電波を受信する電波修正時計では低消費電力が要求される。このため、当該電波修正時計においてサンプリング受信を所定時間毎に行うためには、サンプリング受信における消費電力をできるだけ低減する必要がある。【解決手段】電波修正時計１における受信時刻設定部２０は、自動受信の時刻を設定するために、ＲＦ処理部１００により基地局からの信号を複数の時刻においてサンプリング受信し、各時刻において同期パルスから算出されたＳ／Ｎ比を記憶部２１に記憶する。そして、サンプリング受信が全て終了した後、記憶されている各時刻のＳ／Ｎ比を比較して最も高いＳ／Ｎ比の時刻を自動受信する時刻として設定する。【選択図】図１
2009074890.tif 000002
【特許請求の範囲】
【請求項１】
基地局から送信された信号を受信するＲＦ（Radio Frequency）処理部と、
前記受信した信号に基づいた同期パルスを取得して同期処理を行う同期部と、
前記基地局から送信された信号を前記ＲＦ処理部が受信する時刻を設定する受信時刻設定部と、
記憶部と、を備え、
前記受信時刻設定部は、複数の時刻において受信した信号に基づいた同期パルスから算出された各時刻におけるＳ／Ｎ比（Signal to Noise ratio）を前記記憶部に記憶し、前記記憶された各時刻におけるＳ／Ｎ比に基づいて前記受信する時刻を設定することを特徴とする受信装置。
【請求項２】
前記受信時刻設定部は、前記記憶された各時刻におけるＳ／Ｎ比が高い時刻を優先的に前記受信する時刻に設定することを特徴とする請求項１に記載の受信装置。
【請求項３】
前記各時刻におけるＳ／Ｎ比は、各時刻における複数の前記同期パルスから算出されることを特徴とする請求項１又は２に記載の受信装置。
【請求項４】
前記基地局から送信される信号は、ＣＤＭＡ（Code Division Multiple Access）方式を採用した携帯電話通信網の基地局から送信される信号であることを特徴とする請求項１から３のいずれか一項に記載の受信装置。
【請求項５】
前記ＲＦ処理部によって受信した信号に基づいてゲインレベルを可変に設定するＡＧＣ（Automatic Gain Control）部を更に備え、
前記受信時刻設定部は、前記複数の時刻において受信した信号に基づいて設定された各時刻における前記ゲインレベルを前記記憶部に更に記憶し、前記記憶された各時刻における、前記Ｓ／Ｎ比及び前記ゲインレベルに基づいて前記受信する時刻を設定することを特徴とする請求項１から４のいずれか一項に記載の受信装置。
【請求項６】
前記受信時刻設定部は、前記Ｓ／Ｎ比に基づいて前記受信する時刻を選択し、当該選択された時刻の中から前記ゲインレベルに基づいて更に選択して設定することを特徴とする請求項５に記載の受信装置。
【請求項７】
基地局から送信された信号を受信するＲＦ処理工程と、
前記受信した信号に基づいた同期パルスを取得して同期処理を行う同期工程と、
前記基地局から送信された信号を前記ＲＦ処理工程において受信する時刻を設定する受信時刻設定工程と、を備え、
前記受信時刻設定工程は、複数の時刻において受信した信号に基づいた同期パルスから算出された各時刻におけるＳ／Ｎ比を記憶し、前記記憶された各時刻におけるＳ／Ｎ比に基づいて前記受信する時刻を設定することを特徴とする受信装置の制御方法。
【請求項８】
基地局から送信された信号を受信するＲＦ処理部と、
前記受信した信号に基づいた同期パルスを取得して同期処理を行う同期部と、
前記受信した信号に基づいた時刻情報を取得する時刻情報取得部と、
前記基地局から送信された信号を前記ＲＦ処理部が受信する時刻を設定する受信時刻設定部と、
前記受信した信号に基づいて取得した前記時刻情報に基づいて、出力すべき時刻を修正する時刻情報修正部と、
記憶部と、を備え、
前記受信時刻設定部は、複数の時刻において受信した信号に基づいた同期パルスから算出された各時刻におけるＳ／Ｎ比を前記記憶部に記憶し、前記記憶された各時刻におけるＳ／Ｎ比に基づいて前記受信する時刻を設定することを特徴とする電波修正時計。
【請求項９】
基地局から送信された信号を受信するＲＦ処理部と、
前記ＲＦ処理部によって受信した信号に基づいてゲインレベルを可変に設定するＡＧＣ部と、
前記基地局から送信された信号を前記ＲＦ処理部が受信する時刻を設定する受信時刻設定部と、
記憶部と、を備え、
前記受信時刻設定部は、複数の時刻において受信した信号に基づいて設定された各時刻における前記ゲインレベルを前記記憶部に記憶し、前記記憶された各時刻におけるゲインレベルに基づいて前記受信する時刻を設定することを特徴とする受信装置。
【請求項１０】
前記受信時刻設定部は、前記記憶された各時刻におけるゲインレベルが低い時刻を優先的に前記受信する時刻に設定することを特徴とする請求項９に記載の受信装置。
【請求項１１】
前記基地局から送信される信号は、ＣＤＭＡ方式を採用した携帯電話通信網の基地局から送信される信号であることを特徴とする請求項９又は１０に記載の受信装置。
【請求項１２】
基地局から送信された信号を受信するＲＦ処理工程と、
前記ＲＦ処理工程によって受信した信号に基づいてゲインレベルを可変に設定するＡＧＣ工程と、
前記基地局から送信された信号を前記ＲＦ処理工程において受信する時刻を設定する受信時刻設定工程と、を備え、
前記受信時刻設定工程は、複数の時刻において受信した信号に基づいて設定された各時刻における前記ゲインレベルを記憶し、前記記憶された各時刻におけるゲインレベルに基づいて前記受信する時刻を設定することを特徴とする受信装置の制御方法。
【請求項１３】
基地局から送信された信号を受信するＲＦ処理部と、
前記ＲＦ処理部によって受信した信号に基づいてゲインレベルを可変に設定するＡＧＣ部と、
前記受信した信号に基づいた時刻情報を取得する時刻情報取得部と、
前記基地局から送信された信号を前記ＲＦ処理部が受信する時刻を設定する受信時刻設定部と、
前記受信した信号に基づいて取得した時刻情報に基づいて、出力すべき時刻を修正する時刻情報修正部と、
記憶部と、を備え、
前記受信時刻設定部は、複数の時刻において受信した信号に基づいて設定された各時刻における前記ゲインレベルを前記記憶部に記憶し、前記記憶された各時刻におけるゲインレベルに基づいて前記受信する時刻を設定することを特徴とする電波修正時計。
【発明の詳細な説明】
【技術分野】
【０００１】
本発明は、受信装置、受信装置の制御方法及び電波修正時計に関する。
【背景技術】
【０００２】
従来、受信装置を有する装置として、時刻情報を含む長波帯域の標準電波を受信して、正確な時刻を表示する電波修正時計が利用されている。例えば、下記特許文献１に記載されている電波修正時計では、所定時間毎に標準電波をサンプリング受信し、電波環境の最も良好な時刻を検出する。そして、検出された時刻において受信した時刻情報に基づいて、電波修正時計の時刻を正確な時刻に修正するようにしている。
また、近年、ＣＤＭＡ（Code Division Multiple Access）変調されて送信される極超短波帯域の電波に含まれる時刻情報を受信し、正確な時刻を表示する電波修正時計が提案されている。このような極超短波帯域の電波は、種々の中継局から遍く中継されることから、長波帯域の標準電波と比して、建物の中や地下のような様々な移動先においても、良好に受信できることが知られている。例えば、下記特許文献２に記載されている電波修正時計では、ＣＤＭＡ変調されて送信される電波を受信し、受信電波に含まれる時刻情報に基づいて、電波修正時計の時刻を正確な時刻に修正するようにしている。
【０００３】
【特許文献１】特開２００６−８４２２９号公報
【特許文献２】特開２０００−３２１３８３号公報
【発明の開示】
【発明が解決しようとする課題】
【０００４】
しかしながら、受信装置を有する装置として、上記した特許文献２に記載されるようなＣＤＭＡ電波を受信する電波修正時計では低消費電力が要求される。このため、当該電波修正時計において上記した特許文献１に記載されるようなサンプリング受信を所定時間毎に行うためには、サンプリング受信における消費電力をできるだけ低減する必要があった。
【課題を解決するための手段】
【０００５】
本発明は、上記の課題の少なくとも一部を解決するためになされたものであり、以下の形態又は適用例として実現することが可能である。
【０００６】
［適用例１］
基地局から送信された信号を受信するＲＦ（Radio Frequency）処理部と、前記受信した信号に基づいた同期パルスを取得して同期処理を行う同期部と、前記基地局から送信された信号を前記ＲＦ処理部が受信する時刻を設定する受信時刻設定部と、記憶部と、を備え、前記受信時刻設定部は、複数の時刻において受信した信号に基づいた同期パルスから算出された各時刻におけるＳ／Ｎ比（Signal to Noise ratio）を前記記憶部に記憶し、前記記憶された各時刻におけるＳ／Ｎ比に基づいて前記受信する時刻を設定することを特徴とする受信装置。
【０００７】
上記した受信装置によれば、受信時刻設定部は、基地局から送信された信号をＲＦ処理部が受信する時刻を設定するために、複数の時刻における同期パルスから算出された各時刻におけるＳ／Ｎ比を記憶部に記憶する。そして、受信時刻設定部は、記憶された各時刻におけるＳ／Ｎ比に基づいて受信する時刻を設定する。受信時刻設定部は、このようなＳ／Ｎ比に基づいて受信する時刻を設定することから、複数の時刻において受信するサンプリング受信の際に、信号を受信するＲＦ処理部と、同期処理を行う同期部とが駆動され、受信した信号に基づいて時刻情報を取得する処理の駆動は不要となる。これにより、サンプリング受信における消費電力を低減させることができる。
【０００８】
［適用例２］
前記受信時刻設定部は、前記記憶された各時刻におけるＳ／Ｎ比が高い時刻を優先的に前記受信する時刻に設定することを特徴とする上記受信装置。
【０００９】
上記した受信装置によれば、Ｓ／Ｎ比が高い時刻を優先的に受信する時刻に設定する。これにより、受信装置は、電波環境が良好であって品質の高い信号を受信可能な時刻に受信することができる。
【００１０】
［適用例３］
前記各時刻におけるＳ／Ｎ比は、各時刻における複数の前記同期パルスから算出されることを特徴とする上記受信装置。
【００１１】
上記した受信装置によれば、複数の同期パルスからＳ／Ｎ比が算出されることから、誤差が少なく安定したＳ／Ｎ比を得ることができる。
【００１２】
［適用例４］
前記基地局から送信される信号は、ＣＤＭＡ（Code Division Multiple Access）方式を採用した携帯電話通信網の基地局から送信される信号であることを特徴とする上記受信装置。
【００１３】
上記した受信装置によれば、ＣＤＭＡ方式を採用した携帯電話通信網の基地局から送信される信号を受信する受信装置に適用することができる。
【００１４】
［適用例５］
前記ＲＦ処理部によって受信した信号に基づいてゲインレベルを可変に設定するＡＧＣ（Automatic Gain Control）部を更に備え、前記受信時刻設定部は、前記複数の時刻において受信した信号に基づいて設定された各時刻における前記ゲインレベルを前記記憶部に更に記憶し、前記記憶された各時刻における、前記Ｓ／Ｎ比及び前記ゲインレベルに基づいて前記受信する時刻を設定することを特徴とする上記受信装置。
【００１５】
上記した受信装置によれば、複数の時刻におけるゲインレベルを記憶部に更に記憶する。そして、受信時刻設定部は、記憶された各時刻におけるＳ／Ｎ比及びゲインレベルに基づいて受信する時刻を設定する。受信時刻設定部は、このようなＳ／Ｎ比及びゲインレベルに基づいて受信する時刻を設定することから、受信する時刻における受信信号の信頼性を高めることができる。
【００１６】
［適用例６］
前記受信時刻設定部は、前記Ｓ／Ｎ比に基づいて前記受信する時刻を選択し、当該選択された時刻の中から前記ゲインレベルに基づいて更に選択して設定することを特徴とする上記受信装置。
【００１７】
上記した受信装置によれば、Ｓ／Ｎ比に基づいて受信する時刻を絞り込んでおき、それらの時刻の中からゲインレベルに基づいて更に時刻を絞り込むことができ、受信する時刻における受信信号の信頼性を効率的に高めることができる。
【００１８】
［適用例７］
基地局から送信された信号を受信するＲＦ処理工程と、前記受信した信号に基づいた同期パルスを取得して同期処理を行う同期工程と、前記基地局から送信された信号を前記ＲＦ処理工程において受信する時刻を設定する受信時刻設定工程と、を備え、前記受信時刻設定工程は、複数の時刻において受信した信号に基づいた同期パルスから算出された各時刻におけるＳ／Ｎ比を記憶し、前記記憶された各時刻におけるＳ／Ｎ比に基づいて前記受信する時刻を設定することを特徴とする受信装置の制御方法。
【００１９】
上記した受信装置の制御方法によれば、受信時刻設定工程において、基地局から送信された信号をＲＦ処理工程で受信する時刻を設定するために、複数の時刻における同期パルスから算出された各時刻におけるＳ／Ｎ比を記憶する。そして、受信時刻設定工程において、記憶された各時刻におけるＳ／Ｎ比に基づいて受信する時刻を設定する。受信時刻設定工程において、このようなＳ／Ｎ比に基づいて受信する時刻を設定することから、複数の時刻において受信するサンプリング受信の際に、信号を受信するＲＦ処理工程と、同期処理を行う同期工程とが処理され、受信した信号に基づいて時刻情報を取得する処理工程は不要となる。これにより、サンプリング受信における消費電力を低減させることができる。
【００２０】
［適用例８］
基地局から送信された信号を受信するＲＦ処理部と、前記受信した信号に基づいた同期パルスを取得して同期処理を行う同期部と、前記受信した信号に基づいた時刻情報を取得する時刻情報取得部と、前記基地局から送信された信号を前記ＲＦ処理部が受信する時刻を設定する受信時刻設定部と、前記受信した信号に基づいて取得した時刻情報に基づいて、出力すべき時刻を修正する時刻情報修正部と、記憶部と、を備え、前記受信時刻設定部は、複数の時刻において受信した信号に基づいた同期パルスから算出された各時刻におけるＳ／Ｎ比を前記記憶部に記憶し、前記記憶された各時刻におけるＳ／Ｎ比に基づいて前記受信する時刻を設定することを特徴とする電波修正時計。
【００２１】
上記した電波修正時計によれば、受信時刻設定部は、基地局から送信された信号をＲＦ処理部が受信する時刻を設定するために、複数の時刻における同期パルスから算出された各時刻におけるＳ／Ｎ比を記憶部に記憶する。そして、受信時刻設定部は、記憶された各時刻におけるＳ／Ｎ比に基づいて受信する時刻を設定する。受信時刻設定部は、このようなＳ／Ｎ比に基づいて受信する時刻を設定することから、複数の時刻において受信するサンプリング受信の際に、信号を受信するＲＦ処理部と、同期処理を行う同期部とが駆動され、受信した信号に基づいて時刻情報を取得する時刻情報取得部の駆動は不要となる。これにより、サンプリング受信における消費電力を低減させることができる。
【００２２】
［適用例９］
基地局から送信された信号を受信するＲＦ処理部と、前記ＲＦ処理部によって受信した信号に基づいてゲインレベルを可変に設定するＡＧＣ部と、前記基地局から送信された信号を前記ＲＦ処理部が受信する時刻を設定する受信時刻設定部と、記憶部と、を備え、前記受信時刻設定部は、複数の時刻において受信した信号に基づいて設定された各時刻における前記ゲインレベルを前記記憶部に記憶し、前記記憶された各時刻におけるゲインレベルに基づいて前記受信する時刻を設定することを特徴とする受信装置。
【００２３】
上記した受信装置によれば、受信時刻設定部は、基地局から送信された信号をＲＦ処理部が受信する時刻を設定するために、複数の時刻におけるゲインレベルを記憶部に記憶する。そして、受信時刻設定部は、記憶された各時刻におけるゲインレベルに基づいて受信する時刻を設定する。受信時刻設定部は、このようなゲインレベルに基づいて受信する時刻を設定することから、複数の時刻において受信するサンプリング受信の際に、信号を受信するＲＦ処理部と、ＡＧＣ部とが駆動され、同期処理を行う同期部と、受信した信号に基づいて時刻情報を取得する処理との駆動は不要となる。これにより、サンプリング受信における消費電力を低減させることができる。
【００２４】
［適用例１０］
前記受信時刻設定部は、前記記憶された各時刻におけるゲインレベルが低い時刻を優先的に前記受信する時刻に設定することを特徴とする上記受信装置。
【００２５】
上記した受信装置によれば、ゲインレベルが低い時刻を優先的に受信する時刻に設定する。これにより、受信装置は、電波環境が良好であって品質の高い信号を受信可能な時刻に受信することができる。
【００２６】
［適用例１１］
前記基地局から送信される信号は、ＣＤＭＡ方式を採用した携帯電話通信網の基地局から送信される信号であることを特徴とする上記受信装置。
【００２７】
上記した受信装置によれば、ＣＤＭＡ方式を採用した携帯電話通信網の基地局から送信される信号を受信する受信装置に適用することができる。
【００２８】
［適用例１２］
基地局から送信された信号を受信するＲＦ処理工程と、前記ＲＦ処理工程によって受信した信号に基づいてゲインレベルを可変に設定するＡＧＣ工程と、前記基地局から送信された信号を前記ＲＦ処理工程において受信する時刻を設定する受信時刻設定工程と、を備え、前記受信時刻設定工程は、複数の時刻において受信した信号に基づいて設定された各時刻における前記ゲインレベルを記憶し、前記記憶された各時刻におけるゲインレベルに基づいて前記受信する時刻を設定することを特徴とする受信装置の制御方法。
【００２９】
上記した受信装置の制御方法によれば、受信時刻設定工程において、基地局から送信された信号をＲＦ処理工程で受信する時刻を設定するために、複数の時刻におけるゲインレベルを記憶する。そして、受信時刻設定工程において、記憶された各時刻におけるゲインレベルに基づいて受信する時刻を設定する。受信時刻設定工程において、このようなゲインレベルに基づいて受信する時刻を設定することから、複数の時刻において受信するサンプリング受信の際に、信号を受信するＲＦ処理工程と、ＡＧＣ工程とが処理され、同期処理を行う処理工程と、受信した信号に基づいて時刻情報を取得する処理工程とは不要となる。これにより、サンプリング受信における消費電力を低減させることができる。
【００３０】
［適用例１３］
基地局から送信された信号を受信するＲＦ処理部と、前記ＲＦ処理部によって受信した信号に基づいてゲインレベルを可変に設定するＡＧＣ部と、前記受信した信号に基づいた時刻情報を取得する時刻情報取得部と、前記基地局から送信された信号を前記ＲＦ処理部が受信する時刻を設定する受信時刻設定部と、前記受信した信号に基づいて取得した時刻情報に基づいて、出力すべき時刻を修正する時刻情報修正部と、記憶部と、を備え、前記受信時刻設定部は、複数の時刻において受信した信号に基づいて設定された各時刻における前記ゲインレベルを前記記憶部に記憶し、前記記憶された各時刻におけるゲインレベルに基づいて前記受信する時刻を設定することを特徴とする電波修正時計。
【００３１】
上記した電波修正時計によれば、受信時刻設定部は、基地局から送信された信号をＲＦ処理部が受信する時刻を設定するために、複数の時刻におけるゲインレベルを記憶部に記憶する。そして、受信時刻設定部は、記憶された各時刻におけるゲインレベルに基づいて受信する時刻を設定する。受信時刻設定部は、このようなゲインレベルに基づいて受信する時刻を設定することから、複数の時刻において受信するサンプリング受信の際に、信号を受信するＲＦ処理部と、ＡＧＣ部とが駆動され、同期処理を行う同期部と、受信した信号に基づいて時刻情報を取得する時刻情報取得部の駆動は不要となる。これにより、サンプリング受信における消費電力を低減させることができる。
【発明を実施するための最良の形態】
【００３２】
（第１実施形態）
以下、第１実施形態に係る電波修正時計について図面を参照して説明する。
【００３３】
＜電波修正時計の概略構成＞
最初に、第１実施形態に係る電波修正時計の概略構成について説明する。
図１は、第１実施形態に係る電波修正時計１の概略構成を示すブロック図である。同図に示すように、電波修正時計１は、受信部１０、受信時刻設定部２０、記憶部２１、時刻情報修正部２２、時刻情報出力部２３及び制御部２４を備えている。この電波修正時計１は、基地局からＣＤＭＡ変調されて送信される極超短波帯域の高周波信号を受信し、この信号に含まれる時刻情報が有する正確な時刻を表示する。なお、電波修正時計１における受信部１０、受信時刻設定部２０、記憶部２１及び制御部２４は、受信装置としても構成される。
【００３４】
受信部１０は、ＲＦ処理部１００とベースバンド処理部２００とで構成される。ＲＦ処理部１００は、アンテナ１１０を介して入力された基地局からの高周波信号を、ベースバンド信号に変換すると共にＡＤ変換し、位相が直交する２つのデジタル信号（Ｉ信号、Ｑ信号）に変換する。
ベースバンド処理部２００は、同期部２１０、時刻情報取得部２２０及びＡＧＣ部２３０を備えている。ベースバンド処理部２００は、ＲＦ処理部１００から出力されたＩ信号及びＱ信号のベースバンド信号に対してＣＤＭＡの復調処理を施し、時刻情報を含むデータを復号する。
【００３５】
図２は、ベースバンド処理部２００の内部構成を示すブロック図である。同図に示すように、時刻情報取得部２２０は、逆拡散部２２１、データ判定部２２２及び復号部２２３を備えている。ＲＦ処理部１００から出力されたＩ信号及びＱ信号のベースバンド信号は、同期部２１０と逆拡散部２２１とに入力される。
同期部２１０は、ＲＦ処理部１００から出力されたベースバンド信号から、直角位相拡散によるショートＰＮコードのタイミングの同期を取り、同期タイミングを逆拡散部２２１へ出力する。このとき、同期部２１０は、ベースバンド信号から、基地局との同期タイミングとなる同期パルスを取得する。また、同期部２１０は、取得した同期パルスにおけるＳ／Ｎ比を算出して制御部２４へ出力する。
【００３６】
図３は、取得した同期パルスの例を示す図である。同図における横軸は時間の経過を示し、縦軸は信号レベルを示す。各同期パルスは、約２６．６６６ｍｓの間隔で発生している。即ち、同期取得時間を１００ｍｓとした場合、同図Ａの例に示すように、４本の同期パルスが取得されることになる。また、同期部２１０から出力されるＳ／Ｎ比は、同図Ａの例では、４本の同期パルスにおける各Ｓ／Ｎ比の平均値を算出することにより求める。このＳ／Ｎ比は、取得した各同期パルスにおける信号レベルと周辺パルスの信号レベルとの比率を表している。なお。同期部２１０から出力されるＳ／Ｎ比は、取得したＳ／Ｎ比の平均値に限られず、例えば、取得したＳ／Ｎ比における最大値や合計値等であっても良い。
【００３７】
図２に戻って、時刻情報取得部２２０の逆拡散部２２１は、同期部２１０からの同期タイミングに基づいて、Ｉ信号及びＱ信号のベースバンド信号にショートＰＮコードを乗算する。そして、チャネライゼーション符号であるＷａｌｓｈコードの０番を乗算して積分することでパイロットチャンネル信号を復調し、Ｗａｌｓｈコードの３２番を乗算して積分することでシンクチャンネル信号を復調する。ここで、パイロットチャンネル信号は、基地局と受信機の同期を取るために用いられ、シンクチャンネル信号は、基地局から時刻情報やシステム設定情報等を取得するために用いられる。
【００３８】
データ判定部２２２は、パイロットチャンネル信号により位相回転を除外し、シンクチャンネル信号の二位相偏移変調（ＢＰＳＫ）データを判定する。復号部２２３は、基地局からのデータ送信時にリピータ及びインターリーバにより施されたデータの順序の並び換えを、デインターリーバ及びデリピータにより元の順序に戻す。更に、復号部２２３は、送信時に施された畳み込み符号化処理と逆の処理を、図示しない誤り訂正処理部で処理することにより、１２８ビット単位で送信されたデータを３２ビット単位に復元し、時刻情報として制御部２４へ出力する。
【００３９】
ＡＧＣ部２３０は、ＲＦ処理部１００から出力されたベースバンド信号に基づいて、適切な信号レベルとなるようにゲインレベルを設定し、ＲＦゲイン制御信号としてＲＦ処理部１００へ出力する。ＲＦ処理部１００では、ＡＧＣ部２３０からのＲＦゲイン制御信号で指定されたゲインレベルだけ信号を増幅することで信号レベルを調整する。
【００４０】
図１に戻って、受信時刻設定部２０は、基地局からの高周波信号をＲＦ処理部１００が自動受信する時刻を設定する。受信時刻設定部２０は、自動受信の時刻を設定するために、ＲＦ処理部１００により、基地局からの高周波信号を複数の時刻においてサンプリング受信し、各時刻において同期パルスから算出されたＳ／Ｎ比を記憶部２１に保存する。そして、サンプリング受信が全て終了した後、保存されている各時刻のＳ／Ｎ比を比較し、最も高いＳ／Ｎ比の時刻を自動受信する時刻として設定する。ここで、最も高いＳ／Ｎ比の時刻が同一値で複数ある場合、例えば、該当時刻に近い時刻のＳ／Ｎ比から移動平均値を求めて、移動平均値の高い時刻を設定しても良い。また、自動受信する時刻は１つに限られず複数の時刻を設定しても良く、この場合、Ｓ／Ｎ比の高い時刻から優先的に設定する。
【００４１】
電波修正時計１における時刻が、受信時刻設定部２０により設定された自動受信の時刻に到達したとき、ＲＦ処理部１００は、基地局からの高周波信号を自動的に受信する。そして、ベースバンド処理部２００により時刻情報が取得されて、その時刻情報に基づいて時刻情報修正部２２により電波修正時計１の時刻が正しい時刻に修正される。
【００４２】
記憶部２１は、記憶回路（ＲＡＭ）によって構成され、サンプリング受信を行う対象時刻及び各時刻におけるＳ／Ｎ比や、受信時刻設定部２０より設定された自動受信の時刻等を保存する。
【００４３】
時刻情報修正部２２は、ベースバンド処理部２００から出力された時刻情報に基づいて、電波修正時計１が有する時刻に関する情報を修正する。時刻情報出力部２３は、電波修正時計１の時刻に関する情報を、例えば、ディスプレイなどの表示装置等に出力する。
制御部２４は、受信部１０に対して、ＲＦ処理部１００及びベースバンド処理部２００を制御するためのＲＦ制御信号及びベースバンド制御信号等を出力することで、これらの動作を制御する。また、受信時刻設定部２０、記憶部２１、時刻情報修正部２２及び時刻情報出力部２３等の制御を行う。
【００４４】
＜受信時刻設定部における動作＞
次に、第１実施形態の受信時刻設定部２０における動作について説明する。
図４は、第１実施形態の受信時刻設定部２０における動作を示すフローチャートである。同図に示すフローチャートは、例えば、電波修正時計１に対して電源投入やリセット等が行われたときや、前回、自動受信する時刻の設定処理を行ってから所定の時間が経過したときや、ユーザ操作によって自動受信する時刻の設定処理が指示されたとき等に実行される。
【００４５】
先ず、ステップＳ１１０では、電波修正時計１は、電波修正時計１の時刻がサンプリング受信する対象時刻に到達したか否かを判定する。ここで、サンプリング受信する対象時刻は、記憶部２１のデータテーブルに予め設定されている。サンプリング受信の対象時刻に到達した場合は、次のステップＳ１２０へ進む。
他方、サンプリング受信の対象時刻に到達していない場合は、到達するまで待機する。
図５は、サンプリング対象時刻及びＳ／Ｎ比が保存されているデータテーブルの例を示す図である。同図に示す例では、サンプリング受信する対象時刻が、「０時，１時，２時，３時，４時，・・・，２３時」のように、１時間間隔で２４個設定されている。従って、計２４回のサンプリング受信を１日間実行することになる。
【００４６】
ステップＳ１２０では、電波修正時計１は、基地局からの高周波信号に含まれるパイロットチャンネル信号の受信を開始し、受信した信号からパイロットチャンネル信号を復調し、同期タイミングとなる同期パルスを取得する。
【００４７】
ステップＳ１３０では、電波修正時計１は、ステップＳ１２０において同期パルスが取得できたか否かを判定する。同期パルスが取得できた場合、ステップＳ１４０へ進み、各同期パルスにおけるＳ／Ｎ比の平均を算出して記憶部２１のデータテーブルに保存し、ステップＳ１６０へ進む。
他方、同期パルスが取得できなかった場合、ステップＳ１５０へ進み、記憶部２１のデータテーブルにタイムアウトを表す識別を保存し、ステップＳ１６０へ進む。
ここで、図５に示すデータテーブルの例では、サンプリング対象時刻が例えば「０時」のときは、Ｓ／Ｎ比の項目に「６０」が記憶されている。また、サンプリング対象時刻が「３時」及び「４時」のときは、Ｓ／Ｎ比の項目にタイムオーバーを表す「−」の識別が保存されている。
【００４８】
ステップＳ１６０では、電波修正時計１は、サンプリング受信が全ての対象時刻について終了したか否かを判定する。サンプリング受信が全ての対象時刻について終了した場合は、次のステップＳ１７０へ進む。
他方、サンプリング受信が終了していない対象時刻がある場合は、ステップＳ１１０に戻り、次のサンプリング受信の対象時刻に到達するまで待機する。
ここで、図５に示すデータテーブルの例では、サンプリング受信が「０時」〜「２３時」の全てについて終了したか否かを判定する。
【００４９】
ステップＳ１７０では、電波修正時計１は、ステップＳ１４０においてデータテーブルに保存された各対象時刻のＳ／Ｎ比の項目が全てタイムアウトであるか否かを判定する。Ｓ／Ｎ比の項目が全てタイムアウトの場合、即ち、基地局からのパイロットチャンネル信号に対して、いずれの対象時刻においても同期が取れなかった場合、自動受信時刻の設定処理を終了する。
他方、Ｓ／Ｎ比の項目のいずれかがタイムアウトでない場合、即ち、基地局からのパイロット信号に対して、いずれかの時刻において同期が取れた場合、ステップＳ１８０へ進む。
【００５０】
ステップＳ１８０では、電波修正時計１は、ステップＳ１４０においてデータテーブルに保存された各対象時刻のＳ／Ｎ比を比較し、Ｓ／Ｎ比が最も高い時刻を自動受信時刻に設定する。
【００５１】
なお、図１に示すＲＦ処理部１００における動作はＲＦ処理工程に相当する。また、同図に示す同期部２１０における動作は同期工程に相当する。また、同図に示すＡＧＣ部２３０における動作はＡＧＣ工程に相当する。また、同図に示す受信時刻設定部２０における動作は受信時刻設定工程に相当する。
【００５２】
＜効果＞
上述したように、本実施形態に係る電波修正時計１は、自動受信の時刻を設定するために、ＲＦ処理部１００により基地局からの高周波信号を複数の時刻においてサンプリング受信し、各時刻において同期パルスから算出されたＳ／Ｎ比を記憶部２１のデータテーブルに保存する。そして、サンプリング受信が全て終了した後、保存されている各時刻のＳ／Ｎ比を比較して最も高いＳ／Ｎ比の時刻を自動受信する時刻として設定する。即ち、サンプリング受信を行う際には、基地局からの高周波信号を受信してベースバンド信号に変換するＲＦ処理部１００と、基地局との同期処理を行う同期部２１０と、信号のゲインレベルを設定するＡＧＣ部２３０とを駆動させることになり、基地局からの高周波信号から時刻情報を取得する時刻情報取得部２２０については駆動させる必要がない。
【００５３】
図６は、ベースバンド処理部２００における消費電力の例を説明するための図である。同図（ａ）は、同期取得及び時刻情報取得における駆動時間及び電力を示している。（ｂ）は、サンプリング受信での同期パルス取得における駆動時間及び電力を示している。（ｃ）は、ゲインレベル設定における駆動時間及び電力を示している。（ａ）に示すように、時刻情報取得の際には、同期取得のために同期部２１０において２０ｍＷの電力が約２６．６６６ｍｓの時間消費され、時刻情報取得のために時刻情報取得部２２０において１０ｍＷの電力が（約３００−２６．６６６）ｍｓの時間消費される。また、（ｂ）に示すように、サンプリング受信の際には、同期パルスを取得するために同期部２１０において２０ｍＷの電力が所定の同期パルスを取得するまでの時間（約２６．６６６ｍｓ以上）消費される。また、（ｃ）に示すように、ゲインレベル設定の際には、ＡＧＣ部２３０においてＡＧＣ初期動作のために１００μＷ以下の電力が約５ｍｓの時間消費される。
このように、ベースバンド処理部２００においては、（ａ）に示すように、時刻情報取得のための消費電力が大きな比重を占めている。本実施形態に係るサンプリング受信では、（ａ）に示すような時刻情報取得のための消費電力が不要となることから、サンプリング受信における消費電力を大きく低減させることができる。
【００５４】
また、本実施形態では、保存されている各時刻のＳ／Ｎ比を比較して自動受信する時刻を設定している。即ち、基地局から受信した高周波信号について、Ｓ／Ｎ比を用いて信号品質の優劣の情報を得ている。これにより、基地局からの高周波信号に対して、単に同期が取れたか否かによる判定に基づいて自動受信する時刻を設定する方式と比して、最も自動受信に適した時刻を容易に選択することができる。
【００５５】
（第２実施形態）
次に、第２実施形態に係る電波修正時計について図面を参照して説明する。
【００５６】
第２実施形態に係る電波修正時計の概略構成は、図１に示す第１実施形態に係る電波修正時計１の概略構成と同様である。また、第２実施形態に係る電波修正時計の動作については、図４のフローチャートに示す第１実施形態に係る電波修正時計１の動作とは一部の動作が異なる。
【００５７】
図７は、第２実施形態に係る電波修正時計１の動作を示すフローチャートである。同図に示すフローチャートは、第１実施形態に係る電波修正時計１と同様に、例えば、電波修正時計１に対して電源投入やリセット等が行われたときや、前回、自動受信する時刻の設定処理を行ってから所定の時間が経過したときや、ユーザ操作によって自動受信する時刻の設定処理が指示されたとき等に実行される。
【００５８】
先ず、ステップＳ２１０では、電波修正時計１は、電波修正時計１の時刻がサンプリング受信する対象時刻に到達したか否かを判定する。ここで、サンプリング受信する対象時刻は、記憶部２１のデータテーブルに予め設定されている。サンプリング受信の対象時刻に到達した場合は、次のステップＳ２２０へ進む。
他方、サンプリング受信の対象時刻に到達していない場合は、到達するまで待機する。
【００５９】
ステップＳ２２０では、電波修正時計１は、基地局からの高周波信号の受信を開始する。そして、ＡＧＣ部２３０により、ＲＦ処理部１００からのベースバンド信号に基づいてゲインレベルが設定される。
【００６０】
ステップＳ２３０では、電波修正時計１は、ステップＳ２２０において設定されたゲインレベルを記憶部２１のデータテーブルに保存する。
【００６１】
ステップＳ２４０では、電波修正時計１は、サンプリング受信が全ての対象時刻について終了したか否かを判定する。サンプリング受信が全ての対象時刻について終了した場合は、次のステップＳ２５０へ進む。
他方、サンプリング受信が終了していない対象時刻がある場合は、ステップＳ２１０に戻り、次のサンプリング受信の対象時刻に到達するまで待機する。
【００６２】
ステップＳ２５０では、電波修正時計１は、ステップＳ２３０においてデータテーブルに保存された各対象時刻のゲインレベルを比較し、ゲインレベルが最も低い時刻を自動受信時刻に設定する。ここで、最も低いゲインレベルの時刻が同一値で複数ある場合、例えば、該当時刻に近い時刻のゲインレベルから移動平均値を求めて、移動平均値の低い時刻を設定しても良い。また、自動受信する時刻は１つに限られず複数の時刻を設定しても良く、この場合、ゲインレベルの低い時刻から優先的に設定する。
【００６３】
＜効果＞
上述したように、本実施形態に係る電波修正時計１は、自動受信の時刻を設定するために、ＲＦ処理部１００により基地局からの高周波信号を複数の時刻においてサンプリング受信し、各時刻においてＡＧＣ部２３０により設定されたゲインレベルを記憶部２１のデータテーブルに保存する。そして、サンプリング受信が全て終了した後、保存されている各時刻のゲインレベルを比較して最も低いゲインレベルの時刻を自動受信する時刻として設定する。即ち、サンプリング受信を行う際には、基地局からの高周波信号を受信してベースバンド信号に変換するＲＦ処理部１００と、信号のゲインレベルを設定するＡＧＣ部２３０とを駆動させることになり、基地局との同期処理を行う同期部２１０と、基地局からの高周波信号から時刻情報を取得する時刻情報取得部２２０とについては駆動させる必要がない。
【００６４】
本実施形態に係るサンプリング受信では、図６（ｃ）の例に示すようなゲインレベル設定における消費電力のみが必要とされることから、簡易な方法により、サンプリング受信における消費電力を更に大きく低減させることができる。
【００６５】
（第３実施形態）
次に、第３実施形態に係る電波修正時計について図面を参照して説明する。
【００６６】
第３実施形態に係る電波修正時計の概略構成は、図１に示す第１実施形態に係る電波修正時計１の概略構成と同様である。また、第３実施形態に係る電波修正時計の動作は、図４のフローチャートに示す第１実施形態に係る電波修正時計１の動作と一部の動作が異なる。具体的には、図４のフローチャートに示すステップＳ１４０における「Ｓ／Ｎ比を記憶部２１に保存する」処理と、ステップＳ１８０における「Ｓ／Ｎ比が最も高い時刻を自動受信時刻に設定する」処理とが異なる。
【００６７】
図４のフローチャートに示すステップＳ１４０おいて、第３実施形態では、取得した同期パルスのＳ／Ｎ比のみでなく、ＡＧＣ部２３０により設定されたゲインレベルについても記憶部２１のデータテーブルに保存する。
【００６８】
図８は、第３実施形態におけるＳ／Ｎ比が最も高い時刻を設定する動作を示すフローチャートである。図４のフローチャートに示すステップＳ１８０において、第３実施形態では、図８に示すフローチャートに従って自動受信時刻を設定する。
【００６９】
先ず、ステップＳ３１０では、電波修正時計１は、記憶部２１のデータテーブルに記憶されているＳ／Ｎ比が最も高い時刻が同一値で複数あるか否かを判定する。Ｓ／Ｎ比が最も高い時刻が複数でない場合、即ちＳ／Ｎ比が最も高い時刻が１つの場合、ステップＳ３２０へ進み、当該時刻を自動受信時刻に設定して処理を終了する。
他方、Ｓ／Ｎ比が最も高い時刻が複数ある場合、ステップＳ３３０へ進む。
ここで、データテーブルからＳ／Ｎ比が最も高い時刻を選択する際、例えばＳ／Ｎ比の１０の位で比較する等、Ｓ／Ｎ比が同程度に高い時刻を複数選択しても良い。
【００７０】
ステップＳ３３０では、電波修正時計１は、Ｓ／Ｎ比を算出したときのノイズフロアが高レベルであるか否かを判定する。ノイズフロアが高レベルである場合、ステップＳ３４０へ進み、Ｓ／Ｎ比が最も高い複数の時刻の中からゲインレベルが最も低い時刻を自動受信時刻に設定して処理を終了する。
他方、ノイズフロアが高レベルでない場合、ステップＳ３５０へ進み、Ｓ／Ｎ比が最も高い複数の時刻の中からゲインレベルが最も高い時刻を自動受信時刻に設定して処理を終了する。
【００７１】
図９は、ノイズフロアが異なるＳ／Ｎ比の例を示す図である。同図において、Ａの同期パルスにおけるノイズフロアは高レベル（所望波及び妨害波のいずれも大きい）であり、Ｂの同期パルスにおけるノイズフロアは低レベル（所望波及び妨害波のいずれも小さい）であると判定する。ここでは、ノイズフロアのレベルは所定の閾値等の基準を設けて定めることとする。
【００７２】
＜効果＞
上述したように、本実施形態に係る電波修正時計１は、サンプリング受信が全て終了した後、保存されている各時刻のＳ／Ｎ比を比較してＳ／Ｎ比が最も高い時刻を自動受信する時刻として設定する。このとき、Ｓ／Ｎ比が最も高い時刻が複数存在したとき、ノイズフロアが高レベルの場合は、ゲインレベルが最も低い時刻を自動受信時刻に設定する。他方、ノイズフロアが高レベルでない場合は、ゲインレベルが最も高い時刻を自動受信時刻に設定する。このように、Ｓ／Ｎ比が最大の時刻が複数存在したときに、ノイズフロアのレベルに基づいてゲインレベルを判定して最適の時刻を設定することから、例えば、基地局と電波修正時計１とのクロック周波数のずれ等によるＳ／Ｎ比のばらつき等が発生する場合においても、サンプリング受信における信頼性を高めることができる。
【００７３】
なお、本実施形態に係る電波修正時計１では、Ｓ／Ｎ比が最も高い時刻が複数存在したとき、ノイズフロアが高レベルであるか否かを判定して所定の処理を行っている。しかし、これに限られず、Ｓ／Ｎ比が最も高い時刻が複数存在したとき、無条件に、ゲインレベルが最も低い時刻を自動受信時刻に設定しても良い。これにより、例えば、ＬＮＡ、ＶＧＡなどの増幅回路において、ゲインレベルを絞るときに消費電流が減るような構成を選択することで、安定した時刻取得に加え、より低消費電力で駆動できる時刻を選択できるというメリットが加わる。
【００７４】
上述した実施形態では、受信装置を有する電波修正時計の例について述べたが、電波修正時計に限定されるものではない。例えば、以下に記載されるような用途に使用される装置等に適用しても良い。
・ビデオ録画装置における録画予約のための計時
・有料放送受信装置における視聴時間計測
・株などの証券の電子取引装置における取引執行時刻確定
・文書作成装置における公文書の作成日時確定
・他の装置に組み込まれるリアルタイムクロックにおける計時
【図面の簡単な説明】
【００７５】
【図１】第１実施形態に係る電波修正時計の概略構成を示すブロック図。
【図２】ベースバンド処理部の内部構成を示すブロック図。
【図３】取得した同期パルスの例を示す図。
【図４】第１実施形態の受信時刻設定部における動作を示すフローチャート。
【図５】サンプリング対象時刻及びＳ／Ｎ比が保存されているデータテーブルの例を示す図。
【図６】ベースバンド処理部における消費電力の例を説明するための図。
【図７】第２実施形態に係る電波修正時計の動作を示すフローチャート。
【図８】第３実施形態におけるＳ／Ｎ比が最も高い時刻を設定する動作を示すフローチャート。
【図９】ノイズフロアが異なるＳ／Ｎ比の例を示す図。
【符号の説明】
【００７６】
１…電波修正時計、１０…受信部、２０…受信時刻設定部、２１…記憶部、２２…時刻情報修正部、２３…時刻情報出力部、２４…制御部、１００…ＲＦ処理部、１１０…アンテナ、２００…ベースバンド処理部、２１０…同期部、２２０…時刻情報取得部、２２１…逆拡散部、２２２…データ判定部、２２３…復号部、２３０…ＡＧＣ部。
【図１】
2009074890.tif 000003
【図２】
2009074890.tif 000004
【図３】
2009074890.tif 000005
【図４】
2009074890.tif 000006
【図５】
2009074890.tif 000007
【図６】
2009074890.tif 000008
【図７】
2009074890.tif 000009
【図８】
2009074890.tif 000010
【図９】
2009074890.tif 000011